(57)【特許請求の範囲】
【請求項１】
ワークに砥石を接触させて前記ワークを歯車として研削する歯車加工における前記歯車の歯形、歯すじ修整を行う際の入力方法における典型的な３つのパターンであるクラウニング、テーパ及びクラウニングレリービングの各修整データのみを入力するための入力手段と、前記入力手段から入力された前記修整データに基づいて前記クラウニング、テーパ及びクラウニングレリービングを組み合わせた修整形状を演算する演算手段と、前記演算手段から表示手段に対して前記修整形状を出力する出力手段と、前記出力手段にて出力された前記修整形状を描画する表示手段とを備える歯車形状修整入力描画装置において、
前記入力手段からは、前記クラウニングの最大高さ及び最大高さの位置、前記テーパの傾斜量及び前記クラウニングレリービングの歯先側修整幅、歯元側修整幅、歯先側修整高さ、歯元側修整高さ、歯先側曲率半径、歯元側曲率半径並びに中央部側曲率半径を入力することを特徴とする歯車形状修整入力描画装置。
【請求項２】
前記表示手段には、前記修整データと共に前記修整形状とが同一画面にて表示されることを特徴とする請求項１記載の歯車形状修整入力描画装置。
【請求項３】
前記修整データとして、歯形修整に関する修整データを入力したときには、前記表示手段には前記修整形状として、法線長さ又は径方向長さに対する修整量を示す歯形修整画面が描画されることを特徴とする請求項１記載の歯車形状修整入力描画装置。
【請求項４】
前記修整データとして、歯すじ修整に関する修整データを入力したときには、前記表示手段には前記修整形状として、歯すじ方向長さに対する修整量を示す歯すじ修整画面が描画されることを特徴とする請求項１記載の歯車形状修整入力描画装置。
【請求項５】
前記表示手段には、前記砥石と前記歯車の接触ラインを示す接触線が表示されることを特徴とする請求項１記載の歯車形状修整入力描画装置。
【請求項６】
ワークに砥石を接触させて前記ワークを歯車として研削する歯車加工における前記歯車の歯形、歯すじ修整を行う際の入力方法として、典型的な３つのパターンであるクラウニング、テーパ及びクラウニングレリービングの各修整データのみを入力手段から入力する一方、前記入力手段から入力された前記修整データに基づいて演算手段により前記クラウニング、テーパ及びクラウニングレリービングを組み合わせた修整形状を演算し、前記演算手段から表示手段に対して前記修整形状を出力し、前記表示手段にて前記修整形状を描画する歯車形状修整入力描画方法において、
前記入力手段からは、前記クラウニングの最大高さ及び最大高さの位置、前記テーパの傾斜量及び前記クラウニングレリービングの歯先側修整幅、歯元側修整幅、歯先側修整高さ、歯元側修整高さ、歯先側曲率半径、歯元側曲率半径並びに中央部側曲率半径を入力することを特徴とする歯車形状修整入力描画方法。
【発明の詳細な説明】
【技術分野】
【０００１】
本発明は、歯車形状修整入力描画装置及び歯車形状修整入力描画方法に関する。詳しくは、歯車加工における歯形、歯すじ修整を行なう際の入力及び、入力した結果の描画(可視化)に関する装置及び方法に関する。
【背景技術】
【０００２】
歯車加工おいて、歯形、歯すじ修整を行なう方法としては、下記に示す特許文献１及び２に記載される方法が知られている。
【０００３】
（１）特許文献１
特許文献１は、クラウニングに関してポイントを入力し、クラウニング形状をＣＲＴへ表示する方法である。
即ち、特許文献１の段落[００１１］には、「次に、作業者は、ＣＲＴ２４に表示された歯車研削面形状３６を参照しながら、マウス１２ｂまたはキーボード１２ａのカーソルキーを用いてクラウニングポイント３８をＣＲＴ２４上に設定する（Ｓ４）。ＣＰＵ２０は、前記クラウニングポイント３８を線分で連結し、クラウニング形状４２を歯車研削面形状３６に重ねてＣＲＴ２４に表示する（Ｓ５、図３参照）。なお、ＣＲＴ２４には、マウス１２ｂから指示したクラウニングポイント３８に対応する（Ｚ、Ｘ）座標も併せて表示する。さらに、このクラウニングデータ作成装置１０では、表示されたクラウニング形状４２の移動、拡大、縮小を行うことで、作成作業の効率を向上させることができる。」と記載されている。
【０００４】
（２）特許文献２
特許文献２は、データ入力に関して、分割線の交点の各座標位置について修正研削量データを入力する方法である。
即ち、特許文献２の段落［００３０］には、「Ｚ軸の座標ポイントを設定した後は図５のステップ１０３に進み、歯形コーナ設定を行う。このステップは、被研削歯面たるＡ面、Ｂ面におけるインボリュート曲面に対する修正研削量を設定するものであり、ＣＲＴモニタ８１には図８に示すような画面が表示される。図は、Ａ面をＺ軸方向へ７分割、Ｙ軸方向へ５分割（抜け位置を含めて６分割）したもので、分割線の４２の交点「１１」〜「６７」の各座標位置について、各データ入力エリア９３ａにキーボード８２から修正研削量データを例えばサブミクロン単位で入力できる。図から明らかなように、各データ入力エリア９３ａは画面上の各座標位置「１１」〜「６７」に近い位置に設定されているから、歯面のどの部分をどの程度修正研削するのかを視覚的に容易に確認しつつ修正研削量データを入力することができる。この分割画面はＢ面についても準備されており、また、分割数を変えた（例えば抜け位置を含めてＹ軸方向へ１５分割）画面がＡ面、Ｂ面について複数対準備されて、必要に応じて適当な分割数の画面を選択できるようになっている。」と記載されている。
【０００５】
特許文献２では、入力値が補間されて、研削補正量が作成される。この研削補正量はトポロジカル研削用であり、トポロジカル研削では、歯面上の歯形、歯すじ方向に計算用のメッシュに切り、その一点ずつの修整量を与え、そのメッシュに沿って、少しずつ歯すじ方向に位置をずらしながら片歯面ずつ加工していく方法となる。
また、特許文献２は、ＣＲＴへの修整形状の表示に関して、座標の各点郡を連ねた修正研削断面をグラフ表示する。
【０００６】
即ち、特許文献２の段落［００３６］では、「次に図５のステップ１０７に進んで、ＣＲＴモニタ８１の画面上へ研削歯面のグラフ表示を行う。グラフ表示の一例を図１２に示す。図はＹ軸を上下方向とし、Ａ軸を左右方向として、Ａ面上の「１１」〜「６１」、「１２」〜「６２」、……、「１７」〜「６７」（図８参照）の各点群を連ねた修正研削断面を、所定の倍率でそれぞれ異なる色で表示したものである。Ｙ軸方向の各データ表示エリア９６ａ〜９６ｄにはそれぞれ、グラフ目盛に対応した歯元からの距離がｍｍ単位で表示され、一方、Ａ軸方向の各データ表示エリア９６ｅ〜９６ｈにはそれぞれ、グラフ目盛に対応した修正研削量がサブミクロン単位の正負の値で表示されている。また、データ表示エリア９６ｉには１目盛当たりの修正研削量がサブミクロン単位で表示されている。これにより、歯たけ方向の修正研削面全体の形状を視覚的に確認することができる。なお、データ表示エリア９６ｊ，９６ｋには修正研削量の最大数値と最低数値が表示され、データ表示エリア９６ｍには各点群を連ねた修正研削断面の修正研削量の最大数値と最低数値が表示される。同様のグラフ表示をＡ面上の「１１」〜「１７」、「２１」〜「２７」、……、「６１」〜「６７」の各点群を連ねた、歯すじ方向の修正研削断面についても行うことができ、その一例を図１３に示す。研削歯面のグラフ表示をＢ面について行うことも、もちろん可能である。なお、直線補間や円弧補間等によってグラフ表示をより滑らかにすることもできる。」と記載されている。
【先行技術文献】
【特許文献】
【０００７】
【特許文献１】特開平６−１４３０３０号公報
【特許文献２】特開平１０−６１３６号公報
【発明の概要】
【発明が解決しようとする課題】
【０００８】
特許文献１では、ＣＲＴ２４に表示された歯車研削面形状３６を参照しながら、マウス１２ｂまたはキーボード１２ａのカーソルキーを用いてクラウニングポイント３８をＣＲＴ２４上に設定しなければならず、また、特許文献２では、分割線の４２の交点「１１」〜「６７」の各座標位置について、各データ入力エリア９３ａにキーボード８２から修正研削量データを入力しなければならないなど、歯車形状修正のために煩雑な入力が必要であり、しかも、入力された結果がどのような修正形状となるのか分かりにくかった。
本発明は、上記従来技術に鑑みてなされたものであり、歯形、歯すじデータの簡易入力による歯形、歯すじ形状の表示及びが確認できる装置及び方法を提供するにある。
【課題を解決するための手段】
【０００９】
上記課題を解決する本発明の請求項１に係る歯車形状修整入力描画装置は、ワークに砥石を接触させて前記ワークを歯車として研削する歯車加工における前記歯車の歯形、歯すじ修整を行う際の入力方法における典型的な３つのパターンであるクラウニング、テーパ及びクラウニングレリービングの各修整データのみを入力するための入力手段と、前記入力手段から入力された前記修整データに基づいて前記クラウニング、テーパ及びクラウニングレリービングを組み合わせた修整形状を演算する演算手段と、前記演算手段から表示手段に対して前記修整形状を出力する出力手段と、前記出力手段にて出力された前記修整形状を描画する表示手段とを備える歯車形状修整入力描画装置において、前記入力手段からは、前記クラウニングの最大高さ及び最大高さの位置、前記テーパの傾斜量及び前記クラウニングレリービングの歯先側修整幅、歯元側修整幅、歯先側修整高さ、歯元側修整高さ、歯先側曲率半径、歯元側曲率半径並びに中央部側曲率半径を入力することを特徴とする。
【００１０】
上記課題を解決する本発明の請求項２に係る歯車形状修整入力描画装置は、請求項１において、前記表示手段には、前記修整データと共に前記修整形状とが同一画面にて表示されることを特徴とする。
【００１１】
上記課題を解決する本発明の請求項３に係る歯車形状修整入力描画装置は、請求項１において、前記修整データとして、歯形修整に関する修整データを入力したときには、前記表示手段には前記修整形状として、法線長さ又は径方向長さに対する修整量を示す歯形修整画面が描画されることを特徴とする。
【００１２】
上記課題を解決する本発明の請求項４に係る歯車形状修整入力描画装置は、請求項１において、前記修整データとして、歯すじ修整に関する修整データを入力したときには、前記表示手段には前記修整形状として、歯すじ方向長さに対する修整量を示す歯すじ修整画面が描画されることを特徴とする。
【００１３】
上記課題を解決する本発明の請求項５に係る歯車形状修整入力描画装置は、請求項１において、前記表示手段には、前記砥石と前記歯車の接触ラインを示す接触線が表示されることを特徴とする。
【００１５】
上記課題を解決する本発明の請求項６に係る歯車形状修整入力描画方法は、ワークに砥石を接触させて前記ワークを歯車として研削する歯車加工における前記歯車の歯形、歯すじ修整を行う際の入力方法として、典型的な３つのパターンであるクラウニング、テーパ及びクラウニングレリービングの各修整データのみを入力手段から入力する一方、前記入力手段から入力された前記修整データに基づいて演算手段により前記クラウニング、テーパ及びクラウニングレリービングを組み合わせた修整形状を演算し、前記演算手段から表示手段に対して前記修整形状を出力し、前記表示手段にて前記修整形状を描画する歯車形状修整入力描画方法において、前記入力手段からは、前記クラウニングの最大高さ及び最大高さの位置、前記テーパの傾斜量及び前記クラウニングレリービングの歯先側修整幅、歯元側修整幅、歯先側修整高さ、歯元側修整高さ、歯先側曲率半径、歯元側曲率半径並びに中央部側曲率半径を入力することを特徴とする。
【発明の効果】
【００１６】
本発明の請求項１に係る歯車形状修整入力描画装置は、ワークに砥石を接触させてワークを歯車として研削する歯車加工における歯車の歯形、歯すじ修整を行う際の入力方法として、典型的な３つのパターンであるクラウニング、テーパ及びクラウニングレリービングのみの各修整データであるクラウニングの最大高さ及び最大高さの位置、テーパの傾斜量及びクラウニングレリービングの歯先側修整幅、歯元側修整幅、歯先側修整高さ、歯元側修整高さ、歯先側曲率半径、歯元側曲率半径並びに中央部側曲率半径を入力手段から入力する一方、入力手段から入力された修整データに基づいて演算手段によりクラウニング、テーパ及びクラウニングレリービングを組み合わせた修整形状を演算し、演算手段から表示手段に対して出力手段にて修整形状を出力し、表示手段にて修整形状を描画するので、以下の効果i）〜iii）を奏する。
i）典型的な３つのパターンのみを組合せることで、現実的に必要なほとんど全ての修整形状に対応できる。
ii）入力した直後にその修整形状イメージが確認できるため、視覚的に形状が分かる。
iii）必要のない修整パターンは入力する必要がないので、入力を単純化でき、従って、３次元的な入力は不要となる。
【００１７】
本発明の請求項２に係る歯車形状修整入力描画装置は、表示手段には、修整データと共に修整形状とが同一画面にて表示されるので、修整データに対する修整形状が視覚的に容易に確認できる。
【００１８】
本発明の請求項３に係る歯車形状修整入力描画装置は、修整データとして、歯形修整に関する修整データを入力したときには、表示手段には修整形状として、法線長さ又は径方向長さに対する修整量を示す歯形修整画面が描画されるので、歯形修整に関しても、上記効果i）〜iii）を奏する。
【００１９】
本発明の請求項４に係る歯車形状修整入力描画装置は、修整データとして、歯すじ修整に関する修整データを入力したときには、表示手段には修整形状として、歯すじ方向長さに対する修整量を示す歯すじ修整画面が描画されるので、歯すじ修整に関しても、上記効果i）〜iii）を奏する。
【００２０】
本発明の請求項５に係る歯車形状修整入力描画装置は、表示手段には、砥石と歯車の接触ラインを示す接触線が表示されるので、砥石と歯車の接触ラインを視覚的に確認できる。
【００２２】
本発明の請求項６に係る歯車形状修整入力描画方法は、ワークに砥石を接触させてワークを歯車として研削する歯車加工における歯車の歯形、歯すじ修整を行う際の入力方法として、典型的な３つのパターンであるクラウニング、テーパ及びクラウニングレリービングのみの各修整データであるクラウニングの最大高さ及び最大高さの位置、テーパの傾斜量及びクラウニングレリービングの歯先側修整幅、歯元側修整幅、歯先側修整高さ、歯元側修整高さ、歯先側曲率半径、歯元側曲率半径並びに中央部側曲率半径を入力手段から入力する一方、入力手段から入力された修整データに基づいて演算手段によりクラウニング、テーパ及びクラウニングレリービングを組み合わせた修整形状を演算し、演算手段から表示手段に対して出力手段にて修整形状を出力し、表示手段にて修整形状を描画するので、以下の効果i）〜iii）を奏する。
i）典型的な３つのパターンのみを組合せることで、現実的に必要なほとんど全ての修整形状に対応できる。
ii）入力した直後にその修整形状イメージが確認できるため、視覚的に形状が分かる。
iii）必要のない修整パターンは入力する必要がないので、入力を単純化でき、従って、３次元的な入力は不要となる。
【図面の簡単な説明】
【００２３】
【図１】図１（ａ）は歯車研削盤の斜視図、図１（ｂ）は歯車研削盤のドレッシングを示す説明図、図１（ｃ）は歯車研削盤における歯車加工の説明図である。
【図２】歯車研削盤の制御装置のブロック図である。
【図３】歯形修整の入力説明図である。
【図４】歯すじ修整の入力説明図である。
【図５】基礎円、歯面及び法線長さの関係を示す説明図である。
【図６】図６（ａ）は直径と法線長さ関係を示す説明図、図６（ｂ）は法線長さを直線的に表した説明図である。
【図７】図７（ａ）は歯すじ修整におけるＬu，ＬsとＲv1，Ｒv2との関係を示す説明図、図７（ｂ）はＲv(+)とＲv2(-)との関係を示す説明図である。
【図８】図８（ａ）は左歯面における歯形修整画面、図８（ｂ）は右歯面にける歯形修整画面である。
【図９】図９（ａ）は左歯面における歯すじ修整画面、図９（ｂ）は右歯面にける歯すじ修整画面である。
【図１０】図１０（ａ）は左歯面における接触ラインを示す接触線画面、図１０（ｂ）は右歯面にける接触ラインを示す接触線画面である。
【図１１】図１１（ａ）は左歯面における歯形形状誤差シミュレーション画面、図１１（ｂ）は右歯面にける歯形形状誤差シミュレーション画面である。
【図１２】図１２（ａ）は左歯面における歯すじ形状誤差シミュレーション画面、図１２（ｂ）は右歯面にける歯すじ形状誤差シミュレーション画面である。
【図１３】本実施例における歯車加工における歯形、歯すじ修整の手順を示すフローチャートである。
【発明を実施するための形態】
【００２４】
以下、本発明について、図面に示す実施例と共に具体的に説明する。
【実施例１】
【００２５】
本発明の一実施例に係る歯車形状修整入力描画装置及び歯車形状修整入力描画方法について、図１〜図１３を参照して説明する。
図１は、本実施例の適用される歯車研削盤の概要図である。
図１（ａ）に示す通り、ベッド１０上には、コラム２０が立設されると共にコラム２０には砥石ヘッド３０が設けられ、砥石ヘッド３０には砥石３１が、３軸（Ｘ軸−Ｙ軸−Ｚ軸）方向に移動可能に取り付けられている。
【００２６】
コラム２０には、砥石ヘッド３０の上方において、ドレス装置４０が設けられ、このドレス装置４０には二つのドレッサ４１，４２がＵ方向（図中上下方向）に移動自在に取り付けられている。
従って、図１（ｂ）に示す通り、砥石３１に対してドレッサ４１，４２を図中矢印方向に移動させて接触させることにより、砥石３１の刃面をドレッシングすることができる。
一方、ベッド１０上にはテーブル５０が設置されると共にテーブル５０上には、図１（ｃ）に示す通り、鉛直方向Ｃを中心として回転自在（回転方向を矢印Ｃで示す）にワーク５１が載置されている。
また、図１（ｃ）に示す通り、矢印Ｃ方向に回転するワーク６０に対して、砥石３１をＺ軸方向乃至Ｘ軸方向に移動に移動させて接触させることによりワーク５１を歯車として研削することができる。
【００２７】
図２は、図１に示す歯車研削盤に対する制御装置を示すものである。
即ち、パソコンシステム２００は、制御言語変換ソフト２１１を介してＮＣ制御装置１００に指令を与える実行マクロ２１０と、演算機能２２１、入力ポート２２２及び出力ポート２２３を備える対話ソフト２２０とをシステムバス２３０にて結合したものであり、更に、システムバス２３０にはＣＰＵ２４０、ＲＡＭ/ＲＯ２５０が接続されている。入力ポート２２２には、ＩＮＰＵＴキー３００が接続され、出力ポート２２３には、表示画面４００、プリンタ５００、外部記憶装置６００が接続されている。
従って、ＩＮＰＵＴキー３００から入力された値に基づいて、演算機能２２１により所定の演算が行われ、制御言語ソフト２２１を通じてＮＣ制御装置１００に対して指令を与えることにより、図１に示す歯車研削盤を制御することが可能となっている。
【００２８】
本実施例における歯車加工おいて、歯形、歯すじ修整を行なう際の入力方法としては、図３及び図４に示すように、歯形、歯すじについて典型的な３種類の形状のデータを入力する。
図３は、歯形修整の入力説明図であり、左側がクラウニングを示し、中央がクラウニングレリービングを示し、右側がテーパを示すものである。
図４は、歯すじ修整の入力説明図であり、左側がテーパを示し、中央がクラウニングレリービングを示し、右側がクラウニングを示すものである。
各形状についての修整データについての入力画面を表１に示す。
表１においては、いずれも、左歯面と右歯面のそれぞれに修整値を入力する。
【００２９】
【表１】
0005737965.tif 000002
【００３０】
表１における３種類の形状についての修整データは、以下の通りである。
(1)クラウニングについての修整データとしては、図３の左側及び図４の右側に示す通り、歯形又は歯すじ修整を行うエリア内おける最大高さＣr及び最大高さの位置Ｃtopを用いる。
(2)テーパについての修整データとしては、図３の右側及び図４の左側に示す通り、歯形又は歯すじ修整を行うエリア内おける傾斜量Ｔpを用いる。
(3)クラウニングレリービングについての修整データとしては、図３の中央及び図４の中央に示す通り、歯先側修整幅Ｌu、歯元側修整幅Ｌs、歯先側修整高さＲv1、歯元側修整高さＲv2、歯先側曲率半径Ｒ1、歯元側曲率半径Ｒ2及び中央部側曲率半径Ｒ3を用いる。
【００３１】
＜歯形・歯すじ修整画面のＬu，Ｌsの違い＞
歯形、歯すじ修整画面のＬu，Ｌsの違いは下記の通りである。
[歯形修整画面のＬu，Ｌsの説明]
先ず、法線長さとは、図５に示す通り、右歯面上の点ａと基礎円Ｂを繋ぐ法線の長さＬを指すものである。
次に、表１に示すＬu，Ｌsについて、例えば、図３に示す歯形修整を行うエリアは、図６（ａ）に示す通り、直径で言えば、ｄaからｄnfの範囲になるが、法線長さで言えば、ＬnfからＬaとなる。
Ｌｕとは、ｄa(Ｌa)を起点とした修整の折れ点までの長さである。
Ｌｓとは、ｄnf(Ｌn)を起点とした修整の折れ点までの長さである。
また、法線長さについて直線的に表すと、図６（ｂ）に示す通りとなる。
このように、テーパ修整(傾斜が付く)やレリービング修整（修整領域の端部が折れ下がったり、上がったりする）等において、どこを起点とするかを示すために、Ｌu，Ｌsが必要となるのである。
【００３２】
[歯すじ修整画面のＬu，Ｌsの説明]
歯すじ修整は、歯形と異なり、Ｌu，Ｌsについて、図７（ａ）に示すように、歯幅（歯すじ方向の長さ）の位置で指定する。その目的は、歯形と同じくテーパやレリービング修整を行う時に、歯幅のどこを起点とするかを示すために用いるためである。
図７（ａ）は、レリービングの場合を示しており、Ｌu，Ｌsに対してＲv1，Ｒv2が直交する方向であることを示している。
図７（ｂ）は、Ｒv(+)とＲv2(-)との関係を示すものである。
【００３３】
＜入力画面での「目標値」と「修整値」の違いについて＞
砥石は弾性体なので、ワークに対する剛性はかなり低く、接触状態によっては砥石が負けて変形してしまったり、クーラントのかかり具合で変形するため、狙いの形状には一発で到達しずらく、このような調整が必要になる。
即ち、表１中の目標値とは、製作図面等で指示のあった歯形形状、歯すじ形状（狙いの数値）である。つまり、目標値には、その狙いの値を記録しておくものである。この狙いに対して敢えて、歯形や歯すじを修整することがある。この狙いに対しての修整について、入力画面における修整値へ入力するのである。
ここで、表１の入力画面は、図３の歯形修整の入力説明図又は図４の歯すじ修整の入力説明図と同一画面に表示されるものとする。
表２は、表１に示す入力画面と同一画面に表示される参照値を示すものである。
【００３４】
【表２】
0005737965.tif 000003
【００３５】
歯形修整画面の一例を図８（ａ）（ｂ）に、歯すじ修整画面の一例を図９（ａ）（ｂ）に示す。図８（ａ）（ｂ）は表１に与えられた修整データに基づくものでる。
図８（ａ）は左歯面を、図８（ｂ）は右歯面を示すものであり、いずれも、歯形形状は歯先からの法線長さが歯形修整画面におけるＬｕに示す5.93ｍｍの間は、歯先に向かって修整量がマイナス方向に直線的に増加し、歯先部では修整量が歯形修整画面におけるＲv1に示す４５μｍとなる。また、歯元からの法線長さが歯形修整画面におけるＬｕに示す5.93ｍｍの間は、歯元部に向かって修整量がマイナス方向に直線的に増加し、歯元部では修整量が歯形修整画面におけるＲv2に示す４５μｍとなる。歯形修整画面におけるＬｕ、Ｌｓ以外については修整量は０である。
図９（ａ）は左歯面を、図９（ｂ）は右歯面を示すものであり、いずれも、歯すじ形状は、一方の端部から歯すじ修整画面におけるＬｕに示す１８ｍｍの間は、一方の端部に向かって修整量が直線的に増加し、一方の端部では修整量が歯すじ修整画面におけるＲv1に示す５０μｍとなる。また、他端部から歯すじ修整画面におけるＬｓに示す１８ｍｍの間は、一方の端部に向かって修整量が直線的に増加し、一方の端部では修整量が歯すじ修整画面におけるＲv1に示す５０μｍとなる。歯すじ修整画面におけるＬｕ、Ｌｓ以外については修整量は０である。
【００３６】
図１０は、図８の歯形修整画面を砥石と歯車の接触ラインを示す接触線画面にして表示させたものである。
図１０（ａ）は左歯面を、図１０（ｂ）は右歯面を示し、歯すじが法線長さに対して曲線的に変化することを示している。
図１０に示すように、画面上で砥石とワークの接触線も表示することができるため、砥石をＺ軸方向のどの位置まで動かしたときに、砥石でのワーク研削が有効であるかが分かる。
即ち、接触線表示の目的は、砥石と歯車の接触ラインを視覚的に確認するものであり、図１０では砥石と歯車の接触線の上下左右への広がりの様子を示しているので、加工動作をさせたときにＺ方向にどれだけ動かせば、砥石が抜けきることができるか確認することができる。
【００３７】
図１１は、歯形形状誤差シミュレーションを示すものである。歯形形状誤差シミュレーションとは、法線方向長さ又は径方向長さに対する誤差を示すものである。
図１１（ａ）は左歯面を、図１１（ｂ）は右歯面を示し、いずれも、歯形の場合は、上、中、下の３か所が示される。図１１（ａ）においては、歯形（中）は法線長さが歯元から歯先までの誤差がほぼ０であり、歯形（上）は、法線長さが歯元から歯先まで誤差がほぼ直線的に増加して約１２μｍとなり、また、歯形（下）は、法線長さが歯元から歯先まで誤差がほぼ直線的に増加して約９２μｍとなる。図１１（ｂ）においては、歯形（中）は同様であるが、歯形（上）と歯形（下）とが逆の形状となる。
なお、上記画面中では、法線長さで示したが、法線方向に代えて、径方向長さを用いても良い。
図１２は、歯すじ形状誤差シミュレーションである。歯すじ形状誤差シミュレーションとは、歯すじ方向長さに対する誤差を示すものである。
図１２（ａ）は左歯面を、図１２（ｂ）は右歯面を示し、いずれも、歯たけの中央部の歯すじ形状誤差（歯すじ（中））を表しており、この図では歯すじ方向中央部における誤差がほぼ０であり、歯すじ方向上部及び下部における誤差がほぼ直線的に発生していることを示している。
なお、歯形誤差が、歯車の上下で異なる量となることを、一般に、「バイアスが付く」と呼び、このバイアス形状は、ギア同士をかみ合わせたときの、騒音の原因になると言われており、ユーザーから嫌がられている。そのため、このバイアス形状をなくすための補正動作としてバイアス修正が行われるが、本実施例における誤差シミュレーションも同様に誤差との関係を示すものである。
【００３８】
図１３は、本実施例の歯車加工における歯形、歯すじ修整の手順を示すフローチャートである。
先ず、歯数、歯幅等の歯車緒元を入力する（ステップＳ１）。
次に、表１に示す歯形修整データを入力する（ステップＳ２）。
即ち、歯車研削盤に対する制御装置における入力手段であるＩＮＰＵＴキー３００から表１に示す歯形修整データを入力すると、入力された修整データは入力ポート２２２を経て演算手段である演算機能２２１に送られ、演算機能２２１は、入力された修整データに基づいて歯形修整形状を演算する。
ここで、入力される修整データは、３種類の典型的なクラウニング、クラウニングレリービング及びテーパについてのものであるから、演算機能２２１によって演算される歯形修整形状は、クラウニング、クラウニングレリービング及びテーパを組み合わせたものとなる。
そして、演算機能２２１によって演算された歯形修整形状は、出力ポート２２３を経て、表示手段である画面４００又はプリンタ５００に出力され、画面４００又はプリンタ５００は、演算機能２２１によって演算された歯形修整形状を表示（描画）する（ステップＳ３）。
ここで、歯形修整形状は、表１に示す歯形修整データと同一画面にて表示される。
【００３９】
同様に、表１に示す歯すじ修整データを入力する（ステップＳ４）。
即ち、歯車研削盤に対する制御装置における入力手段であるＩＮＰＵＴキー３００から表１に示す歯すじ修整データを入力すると、入力された修整データは入力ポート２２２を経て演算手段である演算機能２２１に送られ、演算機能２２１は、入力された修整データに基づいて歯すじ修整形状を演算する。
ここで、入力される修整データは、３種類の典型的なクラウニング、クラウニングレリービング及びテーパについてのものであるから、演算機能２２１によって演算される歯すじ修整形状は、クラウニング、クラウニングレリービング及びテーパを組み合わせたものとなる。
そして、演算機能２２１によって演算された歯すじ修整形状は、出力ポート２２３を経て、表示手段である画面４００又はプリンタ５００に出力され、画面４００又はプリンタ５００は、演算機能２２１によって演算された歯すじ修整形状を表示（描画）する（ステップＳ５）。
ここで、歯すじ修整形状は、表１に示す歯形修整データと同一画面にて表示される。
その後、検索条件の入力（ステップＳ６）、オプションデータの入力の後（ステップＳ７）、歯車加工がスタートする（ステップＳ８）。
【００４０】
以上、実施例に基づいて具体的に説明した通り、本発明によれば、３つの主要な修整パターン（クラウニング、テーパ、クラウニングレリービング）の重ね合わせで、想定されるほとんどの修整形状を表現することができる。
また、歯形修整、歯すじ修整ともに表１に示すように同じフォーマットで入力し、入力した結果をすぐに計算して、図８、図９に示す通り、どのような形状になるか判別できる。
更には、入力した直後に修整形状が描画されることで、すぐに視覚的に形状が確認できる。
更に、歯形修整は、歯直角（法線方向）の修整形状を描画することで、曲面である歯車歯形形状を簡便にかつ視覚的に確認することができる。
また、図３及び図４に示すように、歯形修整、歯すじ修整入力説明図が用意されており、これらの入力説明図を見ながら簡単に入力できる利点もある。
尚、上記実施例では、成形研削加工に適用したものであったが、本発明は、成形研削加工だけでなく、創成研削加工にも適用できる。
【産業上の利用可能性】
【００４１】
本発明の歯車形状修整入力描画方法は、歯車加工における歯形、歯すじ修整を行なう際の入力方法及び入力した結果の描画方法(可視化)として広く産業上利用可能なものである。
【符号の説明】
【００４２】
１０  ベッド
２０  コラム
３０  砥石ヘッド
４０  ドレス装置
５０  テーブル
１００  ＮＣ制御装置
２００  パソコンシステム
２１０  実行マクロ
２２０  対話ソフト
３００  ＩＮＰＵＴキー
４００  画面
５００  プリンタ
６００  外部記憶装置
【図１】
0005737965.tif 000004
【図２】
0005737965.tif 000005
【図３】
0005737965.tif 000006
【図４】
0005737965.tif 000007
【図５】
0005737965.tif 000008
【図６】
0005737965.tif 000009
【図７】
0005737965.tif 000010
【図８】
0005737965.tif 000011
【図９】
0005737965.tif 000012
【図１０】
0005737965.tif 000013
【図１１】
0005737965.tif 000014
【図１２】
0005737965.tif 000015
【図１３】
0005737965.tif 000016